(57)【要約】      （修正有）【課題】駐輪場に設置される駐輪ブロックを、仮設ベットや、イベント開催時の陳列台などに活用する、駐輪ブロックの新たな用途の創出を提供する。【解決手段】布やシートなどのカバーにて覆った床板２を重ねた仮設ベットや、イベントなどでの商品陳列台としての活用目的で、排水溝が床面に接する底辺中央部に配備された三角柱形状の駐輪ブロック一対１を移設するにあたり、排水溝を上下を反転する状態で、新たにブロック側凸金具の差し込み穴、床板位置決めストッパー、及び薄平リベット用の貫通穴を開孔して形成したブロック連結梁３を組み合わせて、一定の間隔を以って対向する連結されたブロック連結構造体とし、ブロック連結構造体を複数個を並列に配列して、上面に床板２を重ね合わせて薄平リベットを挿入して位置決めをする。【選択図】図１
2020101072.tif 000002
【特許請求の範囲】
【請求項１】
駐輪場において三角柱形状の駐輪ブロックを設置する際に、底辺中央部に設けられて、ブロック落とし込み用として、埋込インサートと共にブロック側凸金具を携える排水溝は、床面に接する側の位置にあり、また、土嚢として利用する防災兼用器具では、その位置や方向は特定されていないが、別なる用途への転用を目的に移設するにあたり、
前記排水溝が上面となるように駐輪ブロック一対の上下を反転させると共に、上記の如く、当該排水溝に接合されているブロック側凸金具をそのまま活用して、一対のブロックを一定の間隔にて対向して連結するために、新たに四角形の水平材（横架材）、すなわちブロック連結梁を以って組み込むことでブロック連結構造体を形成し、
当該ブロック連結構造体の複数組を並列に配列した全体の長さと、前記ブロック連結梁の長さに相当する幅とを具えた形態で、それぞれの駐輪ブロックを上下反転の状態で配備することで、別途にて準備する床板を上面への重ね合わせが可能な架台を構築し、
上記架台と重ね合わせた床板の双方を、目的や用途に合致するような布やシートなどを用いて覆うことで、仮設ベットや、イベント開催時の商品陳列台などに活用するために、
予め上記ブロック連結梁の両サイドには、ブロック側凸金具の差し込み穴の開孔と、端面へビス止めをする床板位置決めストッパーとを加えると共に、
上記した床板の上面からブロック連結梁まで小径の貫通穴を設け、薄平リベットの挿入を以って、それらの位置決めと、ズレ防止の対策が講じられ、上記する駐輪ブロック自体の持つ重量をベースとして、上記架台と床板との相互安定も図れる形態を以って新規用途へと転用できることを特徴とする駐輪ブロックの新たな用途創出。
【発明の詳細な説明】
【技術分野】
【０００１】  本発明は、駐輪場に設置される駐輪ブロックを移設して、別途にて準備する床板を上面へ重ね合わせが可能な架台を構築し、屋外テントにて使用する仮設ベットや、イベント開催時の陳列台などに活用する駐輪ブロックの新たな用途創出に関する。
【背景技術】
【０００２】  日常的には駐輪場に備蓄を兼ねて配備され、ゲリラ豪雨などの災害時に浸水防止壁を創設して土嚢として利用する三角柱形状の駐輪ブロックは、すでに駐輪及び防災の兼用器具や、あるいは当該器具の設置方法として開示されている。【０００３】  災害が発生した地域の自治体や支援団体が運営する避難所、特に体育館などでは、近年は段ボールなどを素材とする組み立て式のベットが採用されており、プライバシーの関係から、前記ベットの間に仕切りを設けた構造の開示もなされている。【０００４】  局地的な大雨や河川の氾濫などによる浸水被害において、外気温が適切な時節には、天候の回復と時間の経過により、水位レベルが下降することで、屋外への仮設テントの設営が可能となるケースもあり、その際は、地面からの湿気を避けるために、前項の段ボールを採用する敷設ではなく、金属製のフレームと布生地を組み合わせた形状で、開発販売されている組み立て式のベットや、アウトドア用品のコットなども導入できることから、有効な防災用品として紹介されているが、備蓄までの展開には至っていないのが現状である。【０００５】  スーパーなどの商業施設において不定期にて開催される陶器市やフリーマーケット、及び特売商品のイベントでは、車止めが散在する駐車場よりも壁面などに沿った駐輪場が利用されるケースが多く、その場合には、付帯する駐輪機器があることで、当該機器を割けた範囲や、お客様の安全を配慮してカバーをかけたりなどの工夫が必要となることから、実施スペースが狭くなるような制限がある。
【先行技術文献】
【特許文献】
【０００６】
【特許文献１】特許登録第６２８１０３２号  駐輪及び防水兼用器具
【０００７】
【特許文献２】特許登録第６２０９７１２号  駐輪ブロックの設置方法
【０００８】
【特許文献３】特許登録第６３６１０１０号  駐輪器具の路上設置方法
【０００９】
【特許文献４】実用新案登録第３２１５７８１号  段ボール製ベット
【００１０】
【特許文献５】特願２０１７−２０９３２１  組立式家具
【非特許文献】
【００１１】
【非特許文献１】「防災・避難用品カタログ２０１８−１９」社会福祉法人  東京コロニー  東京都葛飾福祉工場  Ｐ．７５〜８１
【発明の概要】
【発明が解決しようとする課題】
【００１２】  水害被害における避難所として、屋外に仮設テントを設営するケースでは、前記テント内で、ベットなどを準備する場合には、地面からの水分吸収による影響が少ない状況が要求され、その湿気対策として、床板と地面との間隔を設けて、換気を可能とする空間を確保する必要がある。【００１３】  災害時ではなく、例えば、商業施設などの駐輪場を利用して、陶器市やフリーマーケットなどの特売イベントを開催するような場合には、駐輪場のイメージ変換を兼ねると共に、商品や販売用機器類の陳列をする台にも、お客様の目線に近づけるための高さと、工夫が要求される。
【課題を解決するための手段】
【００１４】  排水溝が形成された三角柱形状の駐輪ブロックを導入する駐輪場における設置方法では、前記排水溝に指を差し込んで引き上げて、床面に配備された設置金具をそのままの位置に残した状態で移設することが可能であることが開示されているが、
ここでは、床面に接する側の位置に設けられていた上述の排水溝が上面となるように、上下反転の位置としたブロック一対と、
同様に、排水溝の中央部にてブロック落とし込み用として、埋込インサートと共にブロック側凸金具を、そのまま活用して挿入できるように、ブロック側凸金具の差し込み穴として双方に設けた四角形の水平材（横架材）、すなわちブロック連結梁を準備し、
前記する上下反転した一対のブロックとの組み合わせで、前記ブロック連結梁の長さの幅を有するブロック連結構造体を構成する。【００１５】  当該ブロック連結構造体の複数個を並列で配備した上面には、駐輪ブロックを仮設ベットや商品陳列台の架台へと転用を可能とするための床板の事前準備が必要であり、当該床材の寸法は、幅がブロック連結梁の相当で、長さは、複数個が並列された前記ブロック連結構造体の全体の長さに相当し、その厚さは、素材の強度を検討して決定する。【００１６】  次に、当該床材の前記ブロック連結構造体との固定方法として、当該ブロック連結構造体を構成するブロック連結梁の両端面には、上側に配備する床板の横ズレを防止するために床板位置決めストッパーとする四角形の金属板を床板の厚さに相当する高さで、且つ、平坦となるべく位置でビス止めし、
一方、縦方向のズレ防止には、前記床板位置決めストッパーと、ブロック連結梁に形成されているブロック側凸金具の差し込み穴の中間位置で、上面に配備される床板を貫通する形状にて同一内径の穴を設けて、薄平リベットや平頭の釘を押込んで、架台に平置きした床板の固定を可能とできる。【００１７】  その結果として、ブロック連結構造体と、上側に配備する床板が固定され、それら全体を、外観的にも目的や用途に合致するような彩色が検討された布などを選定してカバーとして採用して、駐輪ブロックを転用する新たな用途の創出を図る。
【発明の効果】
【００１８】  災害時に屋外設営されるテントの中で、緊急配備が必要な仮設ベットは、資材が近くにあり、設置が容易であることが要求されることから、駐車場に常設の形で備蓄されているブロックを転用する新たな試みは、別途に準備保管するブロック連結構造体を構成するブロック連結梁や、平板でもある床板を含めて、これらの組み合わせに必要な部材の保管にも、比較的小さな収納スペースでの対応が可能であり、用途の創出として有効である。【００１９】  本発明では、予めブロック連結構造体を構成するブロック連結梁の両端面には、床板の横ズレを防止するために床板位置決めストッパーとして金属板をビス止めしたり、床板と前記ブロック連結構造体とに共通した貫通穴を開けた様態で、別途に準備する薄平リベットや平頭の釘を容易に押込む手法を採用することで、特別な工具を使用せずに架台の上面に床板を重ね合わせる作業が短時間にて完了することができる。【００２０】  架台構成のベースとなる駐輪ブロックは、浸水防止対策の土嚢としての活用があることから、商業施設のイベント用に陳列台として転用することは、前記駐輪ブロックの移設と復旧作業の方法を習得するチャンスでもあり、ゲリラ豪雨時の浸水対策の訓練としても注目されるべき転用の機会として、効果が期待できる。
【図面の簡単な説明】
【００２１】
【図１】本発明に係る駐輪ブロックの配置と、床板の形状を示した斜視図である。
【図２】一対の駐輪ブロックとブロック連結用梁の連結構造体を示す斜視図である。
【図３】ブロック連結用梁の形状を示す斜視図である。
【図４】ブロック連結用梁の両端部に取り付ける床板ストッパーの斜視図である。
【図５】排水溝の形状を示したコンクリート製の駐輪ブロック製作用参考図である。
【発明を実施するための形態】
【００２２】  図１〜図５において本発明に係る実施例を示す。
【実施例】
【００２３】  図１において、上下反転とした駐輪ブロック１の一対を、ブロック連結梁３の双方に設けた図２のブロック側凸金具の差し込み穴４を介してブロック連結構造体を構成し、当該ブロック連結構造体を複数個を並列で配備した上面には、駐輪ブロックを仮設ベットや商品陳列台の架台へと転用を可能とするために、図１に示した床板２を矢印方向である上面に重ね合わせる。【００２４】  ここで、図２のブロック側凸金具の差し込み穴４の内径は、前記ブロック側凸金具の外径１０ｍｍに対応して内径１１ｍｍとし、図３に示す穴の中心位置は、端面から４０ｍｍとし、また、ブロック連結構造体を構成する図２のブロック連結梁３の太さとなる外径は、２７ｘ５３ｍｍで、図４にて示した両端面に複数のビスにてネジ込んで固定する床板の横ズレを防止するための位置決めストッパー５は、重ね合わせて保管する場合を想定して、束ねる作業を容易とするために、４ｍｍ程度上方にズラした位置で、ブロック連結梁３の端面と同一寸法の金属板を採用し、厚さは、２ｍｍとする。【００２５】  床板に関しては、上記した位置決めストッパー５を４ｍｍ程度ずらした関係から４ｍｍ以上の合板を採用して、標準寸法を参考に９１０ｘ１８２０ｍｍを選定して、配列するブロック連結構造体の数量を３組としたが、合板ではなく重量物の搬送に使用される強化ダンボールなどを準備する場合には、数量の増加も検討する。【００２６】  図面の表示はないが、架台の上面に平置きした床板２の固定をして縦方向のズレ防止をするために上記する床板位置決めストッパー５と、ブロック連結梁３に形成されているブロック側凸金具の差し込み穴４の中間位置で、４ｍｍ径の穴を床板２と前記ブロック連結梁３を貫通するように同一内径を以って開け、重ね合わせた後に、寸法３ｘ１４Ｌの薄平リベットを押込んだ状態で、表面を布テープで、抜け防止を兼ねて養生する。【００２７】  こうしてブロック連結構造体と、床板２とを組み合わせた架台を仮設ベットとして利用するために、１１００ｘ１９００ｍｍの布を用意してカバーとし、床板２の下側に空間のある構造で完成させる。【００２８】  駐輪場における陳列台とする場合の実施例としては、床面に駐輪ブロックの設置金具が残っていることから、約４５０ｘ４００ｍｍの金具スペースと、自転車１台分の駐輪間隔６００ｍｍを考慮して、ブロック連結梁３の長さを約１０００ｍｍとし、ブロック連結構造体の間隔は、上記した駐輪間隔６００ｍｍの複数倍の間隔を以って計画する必要がある。
【産業上の利用可能性】
【００２９】  自然災害は予測が難しい中で駐輪場に備蓄する駐輪ブロックを転用する形態で、床板となる合板、木材を使用するブロック連結梁、及び前記床板を固定するための薄平リベットを身近な備蓄倉庫に保管しておいて、災害の発生時に、早急に仮設のベットの創設を可能できることで、設営機材の搬送の時間が短縮されるので有効と判断できる。【００３０】  上項での仮設ベットして使用する場合には、カバー布の採用と共に、比較的保管が容易な災害用敷シートや、エアークッションなどを組み合わせて設営することで、避難者への負担が軽減され、床板の下側にできる空間は、高さが１５０ｍｍ以下の靴などの収納にも利用できる。【００３１】  また、床板に使用する合板の準備がない場合には、身近にある空き箱となった段ボール材を利用して、ブロック連結梁の本数を増加させ、ブロック連結構造体の間隔を狭くして、強度に課題のある紙製の段ボールでも利用することが可能である自由度がある。【００３２】  別途に保管しておく必要なブロック連結梁も木製から金属製に変更して、収納スペースを縮小するために、アングル形状で、やや下側をハの字型になるように広めて、ブロック側凸金具の差し込み穴も内径はそのままの１１ｍｍで、穴の深さ寸法を２７ｍｍから１７ｍｍに短縮した円形の単管を溶接し、両端部にビス止めする床板位置決めストッパーとして、４ｍｍをＬ字型で上方向に曲げて準備して、積層する結束にも容易となるように変更することも可能であり、金属製にすることで、木製と比較して強度的にもＵＰできる。【００３３】  商業施設やイベント会場での陳列台としての利用では、ゲリラ豪雨などの自然災害が来なくとも、駐輪及び防災兼用器具としての駐輪ブロックの移設作業が、実際に発生した際の移設及び復旧作業の訓練としても非常に有効な訓練と評価できることを願っている。【００３４】  これらの目的を支援できるように、コンクリート製の駐輪ブロックでは、自由な色を選択できる石英ガラスコーテングを施して、ブロック表面の強度をＵＰさせる対応や、表面の汚れや落書きの防止対策をしているが、ざらざらとした地面に直接の設置ではなく、駐輪場のエリアを区分する表示には、クッション性のある素材での設置を推奨している。【００３５】  移設が容易であることから、盗難対策やイタズラ防止も必要であるために、公共施設や駐輪場への初期設置では、防犯カメラによる監視体制もお願いする必要を感じている。
【符号の説明】
【００３６】１  駐輪ブロック
２  床板
３  ブロック連結用梁
４  ブロック側凸金具の差し込み穴
５  床板位置決めストッパー
６  駐輪ブロックの排水溝
７、駐輪ブロック落し込み用金具の取り付けインサート
【図１】
2020101072.tif 000003
【図２】
2020101072.tif 000004
【図３】
2020101072.tif 000005
【図４】
2020101072.tif 000006
【図５】
2020101072.tif 000007
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
ブロック落とし込み用として、埋込インサートと共にブロック側凸金具を携える排水溝を、床面に接する側である底辺中央部に設けると共に、土嚢として利用することで防災兼用器具にもなる三角柱形状の駐輪ブロックの使用方法であって、
前記排水溝が上面となるように駐輪ブロック一対の上下を反転させると共に、当該排水溝に接合されているブロック側凸金具をそのまま活用して、一対のブロックを一定の間隔にて対向して連結するために、新たに四角形の水平材（横架材）、すなわちブロック連結梁を以って組み込むことでブロック連結構造体を形成し、当該ブロック連結構造体の複数組を並列に配列した全体の長さと、前記ブロック連結梁の長さに相当する幅とを具えた形態で、それぞれの駐輪ブロックを上下反転の状態で配備することで、別途にて準備する床板を上面への重ね合わせが可能な架台を構築し、前記架台と重ね合わせた床板の双方を目的や用途に合致するような布やシートなどを用いて覆うことで、仮設ベットや、イベント開催時の商品陳列台などに活用するために、予め上記ブロック連結梁の両サイドには、ブロック側凸金具の差し込み穴の開孔と、端面へビス止めをする床板位置決めストッパーとを加えると共に、上記した床板の上面からブロック連結梁まで小径の貫通穴を設け、薄平リベットの挿入を以って、それらの位置決めと、ズレ防止の対策が講じられ、上記駐輪ブロック自体の持つ重量をベースとして、上記架台と床板との相互安定も図れる形態とすることを特徴とする駐輪ブロックの使用方法。